【手続補正書】
【提出日】平成17年10月4日(2005.10.4)
【手続補正１】
【補正対象書類名】特許請求の範囲
【補正対象項目名】請求項８
【補正方法】変更
【補正の内容】
【請求項８】
通信システムにおいてユーザアイデンティティと特性のプライバシーを提供する装置であって、
公開鍵と、トランシーバに関連付けられた秘密鍵とを生成するプロセッサと、
前記プロセッサに接続され、前記公開鍵を通信デバイスに送信する送信機と、
前記プロセッサに接続され、前記通信デバイスから、少なくともその一部が前記公開鍵を用いて暗号化された一つ以上の初期メッセージを受信する受信機と、
前記秘密鍵を用いて前記一つ以上の初期メッセージの前記一部を復号する復号プロセッサと
を備えた装置。
【手続補正２】
【補正対象書類名】特許請求の範囲
【補正対象項目名】請求項１４
【補正方法】変更
【補正の内容】
【請求項１４】
請求項１２に記載の方法において、
前記公開鍵についての認証処理を行い、前記公開鍵が信頼されたエンティティから送信されたか否かを判定することを更に備えた方法。
【手続補正３】
【補正対象書類名】特許請求の範囲
【補正対象項目名】請求項１６
【補正方法】変更
【補正の内容】
【請求項１６】
請求項１５に記載の装置において、
前記公開鍵はサインされ、
前記プロセッサは、更に、前記公開鍵を復号し、前記公開鍵についての認証処理を行い、前記公開鍵が前記トランシーバによって送信されたか否かを判定する装置。
【手続補正４】
【補正対象書類名】特許請求の範囲
【補正対象項目名】請求項１８
【補正方法】変更
【補正の内容】
【請求項１８】
通信システムにおいてユーザアイデンティティと特性のプライバシーを提供するシステムであって、
公開鍵と、トランシーバに関連付けられた秘密鍵とを生成するプロセッサと、
前記プロセッサに接続され、前記公開鍵を通信デバイスに送信する送信機と、
前記プロセッサに接続され、前記通信デバイスから、少なくともその一部が前記公開鍵を用いて暗号化された一つ以上の初期メッセージを受信する受信機と、
前記秘密鍵を用いて前記一つ以上の初期メッセージの前記一部を復号する復号プロセッサとを備えたトランシーバを備えているとともに、
前記通信デバイスは、
前記トランシーバから前記公開鍵を受信する第２の受信機と、
前記公開鍵を用いて前記一つ以上の初期メッセージの少なくとも一部を暗号化する第２のプロセッサと、
前記暗号化された一つ以上の初期メッセージを前記トランシーバに送信する第２のトランシーバと
を備えているシステム。
【手続補正５】
【補正対象書類名】明細書
【補正対象項目名】０００８
【補正方法】変更
【補正の内容】
【０００８】
本発明は、無線システムにおいて、ユーザのアイデンティティと特性のプライバシーを提供する方法及び装置に関連している。ある実施例では、本発明は、公開鍵と、トランシーバに関連付けられた秘密鍵とを生成するプロセッサを備えた装置に関連している。この公開鍵は、通信デバイスに送信される。この通信デバイスは、装置の識別コードまたは他の特性の秘密を維持したい場合には、この公開鍵を使って一つ以上の初期メッセージを暗号化する。この暗号化された初期メッセージは、この通信デバイスによってトランシーバに送信され、ここで、秘密鍵を用いて復号される。そのとき、プロセッサが要求されたサービスデバイスを通信デバイス用に確立するためのリソースを割り当てる。
【手続補正６】
【補正対象書類名】明細書
【補正対象項目名】００１２
【補正方法】変更
【補正の内容】
【００１２】
ＷＣＤへの通信、及びＷＣＤからの通信は、移動切換センタ（ＭＳＣ）１１４を経由して、通信システム１００の外部のデバイス（例えば、電話機またはデータモデム）にルーティングされうる。ＭＳＣ１１４は、公衆切換電話網（ＰＳＴＮ）１１６またはデータネットワーク１１８かの何れかを介して、これら他のデバイスへの通信をルーティングする。衛星ゲートウェイ１２０は、電話機やデータモデムのような衛星デバイスを、ＰＳＴＮ１１６に接続するために一般に用いられる。この情報は、場合に応じて、データデバイス１２２またはモデム１２４によってその後で受信される。データモデム１２８は、ＰＳＴＮ１１６に接続される。これによって、コンピュータ、デジタル電話、及び他のデータデバイスが、ＰＳＴＮ１１６を介して通信できるようになる。
【手続補正７】
【補正対象書類名】明細書
【補正対象項目名】００１４
【補正方法】変更
【補正の内容】
【００１４】
安全な通信を行うある方法は、公開鍵暗号方式として知られている。公開鍵暗号方式は、鍵ペアの概念に基づく。ペアの半分（一つの鍵）は、情報を暗号化することができる。これによって、別の半分（もう一つの鍵）が、それを復号することができる。この鍵ペアの一方である秘密鍵は、指定された所有者のみによって知られており、鍵ペアの残りである公開鍵は、広く公開されているが、やはり指定された所有者に関連付けられている。鍵ペアは、ユニークな特徴を持っている。ある鍵を用いて暗号化されたデータは、ペアの他の鍵を用いて復号化される。すなわち、もしもあなたが秘密鍵または公開鍵を使ってメッセージを暗号化した場合、受信者が他の鍵を使ってそれを復合化することと変わりない。これらの鍵は、メッセージ機密を提供したり、メッセージの発信者の認証性を証明したりするような異なる方法にも使用することができる。第１の場合では、ユーザは、受信者の公開鍵を用いてメッセージを暗号化する。他方の場合では、ユーザは、秘密鍵を用いてメッセージを暗号化する。
【手続補正８】
【補正対象書類名】明細書
【補正対象項目名】００２７
【補正方法】変更
【補正の内容】
【００２７】
ＷＣＤのアイデンティティ及び／又は他の特性を秘密に保っている間に、ＷＣＤ１０２のユーザが通信を開始したい場合には、このユーザは、ＷＣＤ１０２のキーのシーケンスを押すなどの動作を開始し、通信リンクの確立を開始する。このユーザ動作に応答して、プロセッサ２０２は、ＢＴＳへの送信のために一つ以上の初期メッセージを生成する。この初期メッセージは、通信システム１００に、少なくとも要求しているＷＣＤ（この場合ＷＣＤ１０２）のアイデンティティを知らせる。更に、望ましい通信サービスのタイプ、ＷＣＤの位置に付随している位置関連情報等の他の情報付属物を提供しうる。位置関連情報は、緯度および経度座標（または他の座標）、タイミング、またはＷＣＤの位置を突き止めることを可能にする他の測定値から成っているかもしれない。この位置関連情報は、都市、建物、川、橋、通り住所等、ＷＣＤに近い目印によって二者択一的でありうる。ＷＣＤのアイデンティティは、モバイル識別番号（ＭＩＮ）、電子シリアル番号（ＥＳＮ）、国際モバイル加入者識別（ＩＭＳＩ）番号、または通信システム１００内でＷＣＤをユニークに識別するための他の数値または文字数値によるシーケンスからなりうる。初期メッセージに含まれる情報の全てまたは一部は、暗号プロセッサ２０８と連携し、メモリ２０４に格納された公開鍵を用いて暗号化される。暗号プロセッサ２０８は、公開鍵を用いてこの情報を暗号化するための電子回路またはハードウェアとソフトウェアとの組み合わせからなっている。初期メッセージが一旦暗号化されると、ＲＦ回路素子を用いて変調され、アップコンバートされ、ＢＴＳへと送信される。この暗号化された初期メッセージは、ＢＴＳによって取得され、一般には、ＢＳＣ１１２、ＢＳＣ１１４、またはセキュリティマネジャ１２６のような復号を行うエンティティに転送される。このエンティティは、先にＷＣＤと、通信システム１００内の他の通信デバイスに送信された公開鍵に対応した秘密鍵を用いてこの初期メッセージを復号する。この初期メッセージが復号された後、上述したように、望ましい通信サービスを確立するためにリソースが割り当てられる。